(57)【要約】【解決手段】  ネットワーク起動二次パケットデータサービスインスタンスを作成する方法は、アクセスネットワークを通してアプリケーションデータに対するコンテンツ要求を移動局からアプリケーション機能に送信することを含む。方法は、アプリケーション機能からポリシー機能に二次パケットデータサービスインスタンスに対する要求を送信することと、二次パケットデータサービスインスタンスに対する要求を評価することと、評価から１つまたは複数の操作属性を決定することとをさらに含む。方法は、１つまたは複数の操作属性の関数として１つまたは複数のネットワーク構成要素を配置することによって、アプリケーション機能と移動局の間で二次パケットデータサービスインスタンスを作成することも含む。方法は、二次パケットデータサービスインスタンスを介してアプリケーション機能から移動局にアプリケーションデータを送信することをさらに含む。【選択図】  図１
2009505561.tif 000002
【特許請求の範囲】
【請求項１】
ネットワーク起動二次パケットデータサービスインスタンスを作成するためのシステムであって、
１つまたは複数のネットワーク構成要素を接続するためのアクセスネットワークと、
割り当てられたＩＰアドレスを有する、該アクセスネットワークと無線接続を通して通信する移動局と、
該移動局上で動作するアプリケーションにコンテンツを提供するためのアプリケーション機能であって、該アクセスネットワークを通して通信できる該アプリケーションサーバと、
該アプリケーションサーバと該移動局間の通信に使用されるネットワーク資源を管理するためのポリシー施行機能であって、二次パケットデータサービスインスタンスを確立するために該アプリケーション機能からの要求に応える該ポリシー実施機能と、
を備えるシステム。
【請求項２】
該アプリケーション機能がアプリケーションサーバである請求項１に記載のシステム。
【請求項３】
該ポリシー実施機能がポリシーサーバである請求項１に記載のシステム。
【請求項４】
該無線接続が、
（ｉ）無線アクセスネットワークと、
（ｉｉ）ゲートウェイＧＰＲＳ供給ノード及びサービングＧＰＲＳサービングノードとを含むブロードバンドリモートアクセスサーバと、
請求項１に記載のシステム。
【請求項５】
該ポリシー実施機能が、該アプリケーション機能の代わりに二次パケットデータインスタンスを作成するためにネットワーク資源を管理する請求項１に記載のシステム。
【請求項６】
該二次パケットデータサービスインスタンスは、所定のサービス品質レベルで特徴付けられる請求項５に記載のシステム。
【請求項７】
該ポリシー決定機能が、該アプリケーションサーバからの該要求を評価し、該移動局、該アプリケーション機能、及び該アクセスネットワークに関する１つまたは複数のパラメータに基づき、該二次パケットデータインスタンスの該作成を要求する請求項５に記載のシステム。
【請求項８】
該１つまたは複数のパラメータが（ｉ）時刻、（ｉｉ）アクセスネットワーク条件、（ｉｉｉ）アプリケーションタイプ、（ｉｖ）アクセスネットワークトラフィックのレベル、（ｖ）必要とされているサービス品質レベル、（ｖｉ）移動局操作パラメータ、及び（ｖｉｉ）アプリケーション機能操作パラメータの内の少なくとも１つを含む請求項７に記載のシステム。
【請求項９】
該ポリシー決定機能が、２つまたは３つ以上の二次パケットデータサービスインスタンスを確立するために該アプリケーション機能からの要求に応える請求項１に記載のシステム。
【請求項１０】
ネットワーク起動二次パケットデータサービスインスタンスを作成する方法であって、
アクセスネットワークを通して移動局からアプリケーション機能にアプリケーションデータに対するコンテンツ要求を送信することと、
該アプリケーション機能からポリシー機能に強化されたサービスの質に対する要求を送信することと、
強化されたサービスの質に対する該要求を評価し、該評価から１つまたは複数の操作属性を決定することと、
該１つまたは複数の操作属性の関数として１つまたは複数のネットワーク構成要素を配置することによって、該移動局に対する該アプリケーション機能のための該二次パケットデータサービスインスタンスを作成することと、
該二次パケットデータサービスインスタンスを介して該アプリケーション機能から該移動局に該アプリケーションデータを送信することと、
を備える方法。
【請求項１１】
該１つまたは複数の操作属性が強化されたサービスの質に対する要件を含む請求項１０に記載の方法。
【請求項１２】
該アプリケーション機能がアプリケーションサーバを含む請求項１０に記載の方法。
【請求項１３】
該ポリシー機能がポリシーサーバを含む請求項１０に記載の方法。
【請求項１４】
無線アクセスネットワークを通して該移動局と該アクセスネットワーク間に通信を確立することをさらに含む請求項１０に記載の方法。
【請求項１５】
該二次パケットデータサービスインスタンスが所定のサービスの質レベルで特徴付けられる請求項１０に記載の方法。
【請求項１６】
該アプリケーション機能からの該要求を評価することと、該移動局、該アプリケーション機能、及び該アクセスネットワークに関連する１つまたは複数のパラメータに基づいて該二次パケットデータサービスインスタンスを作成することとをさらに含む請求項１０に記載の方法。
【請求項１７】
該１つまたは複数のパラメータが、（ｉ）時刻、（ｉｉ）アクセスネットワーク条件、（ｉｉｉ）アプリケーションタイプ、（ｉｖ）アクセスネットワークトラフィックのレベル、（ｖ）必要とされるサービスの質レベル、（ｖｉ）移動局操作パラメータ、及び（ｖｉｉ）アプリケーション機能操作パラメータの内の少なくとも１つを含む請求項１６に記載の方法。
【請求項１８】
該１つまたは複数の操作属性の関数として１つまたは複数のネットワーク構成要素を配置することによって該移動局に対して該アプリケーション機能の代わりに２つまたは３つ以上の二次パケットデータサービスインスタンスを作成することをさらに含む請求項１０に記載の方法。
【請求項１９】
ネットワーク起動二次パケットデータサービスインスタンスを作成するためのシステムであって、
１つまたは複数のネットワーク構成要素を接続するためのアクセスネットワークと、
無線接続を通して該アクセスネットワークと通信する移動局であって、該移動局が割り当てられたＩＰアドレスを有し、該無線接続が無線アクセスネットワークと、ゲートウェイＧＰＲＳ供給ノードとサービングＧＰＲＳ供給ノードとを含むブロードバンドリモートアクセスサーバとを含む移動局と、
該移動局で動作するアプリケーションにコンテンツを提供するためのアプリケーションサーバであって、該アクセスネットワークを通して通信できる該アプリケーションサーバと、
該アプリケーションサーバと該移動局の間の通信に使用されるネットワーク資源を管理するためのポリシーサーバであって、所定のサービスの質レベルを有する１つまたは複数の二次パケットデータサービスインスタンスを確立するために該アプリケーション機能からの要求に応える該ポリシーサーバと、
を備えるシステム。  
【請求項２０】
ネットワーク起動二次パケットデータサービスインスタンスを作成する方法であって、
無線アクセスネットワークを含むアクセスネットワークを通して移動局からアプリケーションサーバにアプリケーションデータに対するコンテンツ要求を送信することと、
該アプリケーションサーバからポリシーサーバに強化されたサービスの質に対する要求を送信することと、
強化されたサービスの質に対する該要求を評価し、強化されたサービスの質を有する１つまたは複数の二次パケットデータサービスインスタンスに対する用件を含む、該評価から１つまたは複数の操作属性を決定することと、
該１つまたは複数の操作属性の関数として１つまたは複数のネットワーク構成要素を配置することによって、該アプリケーションサーバの代わりに、該移動局に対して該１つまたは複数の二次パケットデータサービスインスタンスを作成することと、
該二次パケットデータサービスインスタンスの少なくとも１つを介して該アプリケーションサーバから該移動局に該アプリケーションデータを送信することと、
を備える方法。
【発明の詳細な説明】
【技術分野】
【０００１】
本発明は、概してポリシーベースのネットワーク資源管理に関する。
【背景技術】
【０００２】
本発明は、以下の特許出願の利点を主張する。２００５年８月１５日に出願された米国仮特許出願、出願番号第６０／７０８，５４７号
【０００３】
インターネットプロトコル（ＩＰ）ネットワーク上の端点間の通信は、トラフィックフローとして特徴付けることができる。トラフィックフローは、インターネットエンジニアリングタスクフォース（ＩＥＴＦ）プロトコル層の特殊なインスタンス化を共有するパケットのストリームである。例えば、リアルタイムプロトコル（ＲＴＰ）フローは、すべてが同じソースと宛先ＩＰアドレス及びＵＤＰポート番号を共有するＲＴＰ／ＵＤＰ／ＩＰプロトコルインスタンス化のパケットから成ってよい。
【発明の開示】
【発明が解決しようとする課題】
【０００４】
いくつかのネットワークアーキテクチャは、単一のＩＰアドレスとのネットワーク接続が複数のデータリンクフローを含むことができるようにする。各データリンクフローは本書では「パケットデータサービスインスタンス」と呼ばれる。この場合、ネットワーク接続が確立され、ＩＰアドレスが端点に割り当てられるとセットアップされるメインパケットデータサービスインスタンス、及び確立され、後に解放できる１つまたは複数のパケットデータサービスインスタンスがある。
【０００５】
各パケットデータサービスインスタンスはさまざまなデータリンク操作パラメータを有し、トラフィックフローのためにさまざまなサービスの質（ＱｏＳ）処理を実現することができ、その結果それぞれの特定のパケットデータサービスインスタンスが独自の特定のＱｏＳと関連付けられる。データリンク端点上のトラフィック分類子は、特殊なデータリンクフローの上に特殊なトラフィックフローを向けるために使用される。
【０００６】
このように構造化されるネットワークアーキテクチャは、とりわけＥＶ−ＤＯ改訂版Ａ、（Ｅ）ＧＰＲＳ、及びＵＭＴＳを含むＣＤＭＡ２０００に基づいたセルラーパケットデータネットワークを含む。
【０００７】
パケットデータサービスインスタンスを利用するアプリケーションごとに関連する一意の要件のために、さまざまな操作パラメータのある複数のパケットデータサービスインスタンスが必要になることがある。例えば、パケット遅延時間の問題はウェブブラウジングアプリケーションには悪影響を及ぼさないため、このようなアプリケーションは、ＱｏＳがさらに低いフローに対処できる。ボイスオーバーＩＰ（ＶｏＩＰ）アプリケーションは、大量のパケット待ち時間がデータリンクに耐えることはできないため、このようなアプリケーションはさらに高いＱｏＳを必要とする。
【０００８】
図１は、３つのパケットデータサービスインスタンスの例を描き、ＣＤＭＡ２０００アーキテクチャ内の移動局（ＭＳ）ＩＰアドレス、（ポイントツーポイントプロトコルデータリンク）ＰＰＰセッション、Ｒ−Ｐセッション（無線アクセスネットワーク（ＲＡＮ）対パケットデータ供給ノード）、Ｒ−Ｐ接続、サービスインスタンス、及びサービス参照ＩＤ（ＳＲ―ＩＤ）の関係性を示す。
【０００９】
前述されたセルラーパケットデータネットワークアーキテクチャの少なくともいくつかは、現在、ネットワークが一次パケットデータサービスインスタンスを起動するために使用できるプロシージャを有する。例えば、移動局がネットワークに取り付けられておらず（つまり、移動局がまだＩＰアドレスを有しておらず）ネットワーク上のサーバが移動局にデータを送信することを希望する場合には、サーバはＩＰ接続が確立され、移動局がＩＰアドレスを取得するまでＩＰデータを送信できない。
【００１０】
しかしながら、ネットワーク自体は、ネットワーク起動プロシージャを介して移動局とＩＰ接続を確立できる。これは、移動局がＩＰ接続を起動し、それによりＩＰアドレスを割り当てられる通常の運転モードとは対照的である。
【００１１】
このようなプロシージャはネットワークによって起動されるメインパケットデータサービスインスタンスを確立するために存在するが、これらのプロシージャは、この運転モードで発生する管理問題及びアドレス指定問題のため、実際的には実現されない。例えば、ネットワーク起動動作を行うことができる移動局は、静的に割り当てられるＩＰアドレスを必要とする可能性がある。
【００１２】
二次パケットデータサービスインスタンスのネットワーク起動のためのプロシージャは、前述されたセルラーパケットデータネットワークアーキテクチャの規格では定義されない。これは、それらの規格が、二次パケットデータサービスインスタンスのためには、エンドノード（つまり、移動局）がすでにネットワークに取り付けられ、それ自体でアプリケーションの要件に基づいて必要とされる二次パケットデータサービスインスタンスをいつ起動するのかを決定すると仮定するためである。
【００１３】
しかしながら、取り付けられていない局に対してネットワーク起動接続を作成するときに発生する管理問題及びアドレス指定問題は、移動局がすでにＩＰアドレスを有するため、二次パケットデータサービスインスタンスを確立するときには問題ではなく、アクティブな信号伝達チャネルが移動局とネットワーク間で確立される。
【００１４】
関心の高まりにつれて、ＩＰマルチメディアネットワーキング、オンラインゲーム、及びセッション初期化プロトコル（ＳＩＰ）等のプロトコル［ＩＰマルチメディアネットワーキング、オンラインゲーム、及びセッション初期化プロトコル（ＳＩＰ）等のプロトコルに対する関心の高まりにつれて］、（ＣＤＭＡ２０００サービスインスタンスまたは（Ｅ）ＧＰＲＳ  ＰＤＰコンテキスト用等の）ネットワーク起動二次パケットデータサービスインスタンスは、それらが、パケットデータサービスインスタンス媒体、ゲームまたはネットワーク上で特殊なＱｏＳ処理を必要とする他のトラフィックフローを確立するための、安全で認可された支払請求可能な方法を提供するという点で非常に有用となる場合がある。
【課題を解決するための手段】
【００１５】
本開示は、ネットワークが、特定の操作パラメータ、特に特殊なサービスの質レベルのポリシーベースの二次パケットデータサービスインスタンスを起動するための機構を説明する。３ＧＰＰ  ＩＰマルチメディアシステム及びセルラーパケットデータネットワークのために現在標準化されている機構は、このような機構が、それらのパケットデータサービスインスタンスのデータリンク操作属性及びサービスの質属性とともに、二次パケットデータサービスインスタンスを起動するためのクライアントデバイス（つまり、移動局）上のソフトウェア及びプロシージャに依存するので、本書では「プルモデル」と呼ばれている。本書に説明されている手法は、ネットワーク自体の中でのさらに高水準のインテリジェンスがデータリンク操作属性とサービスの質属性を決定し、移動局に対する新しい二次パケットデータサービスインスタンスを「プッシュする」または起動するので、「プッシュモデル」と呼ばれている。
【００１６】
一態様では、本発明はネットワーク起動二次パケットデータサービスインスタンスを作成するためのシステムであり、１つまたは複数のネットワーク構成要素を接続するためのアクセスネットワーク、及び無線接続を通してアクセスネットワークと通信する移動局を含む。移動局は割り当てられたＩＰアドレスを有する。システムは、移動局で動作するアプリケーションにコンテンツを提供するためのアプリケーション機能をさらに含む。アプリケーションサーバは、アクセスネットワークを通して通信できる。システムは、アプリケーションサーバと移動局間の通信に使用されるネットワーク資源を管理するためのポリシー実施機能も含む。ポリシー実施機能は、二次パケットデータサービスインスタンスを確立するためにアプリケーション機能からの要求に応える。
【００１７】
一実施形態では、アプリケーション機能はアプリケーションサーバである。別の実施形態では、ポリシー実施機能はポリシーサーバである。無線接続は、ゲートウェイＧＰＲＳ供給ノードとサービングＧＲＰＳサービングノードを含む無線アクセスネットワーク及びブロードバンドリモートアクセスサーバを含んでよい。
【００１８】
一実施形態では、ポリシー実施機能は、アプリケーション機能の代わりに二次パケットデータインスタンスを作成するためにネットワーク資源を管理する。別の実施形態では、二次パケットデータサービスインスタンスは、所定のサービスの質レベルによって特徴付けられる。ポリシー決定機能はアプリケーションサーバからの要求を評価し、移動局、アプリケーション機能及びアクセスネットワークに関する１つまたは複数のパラメータに基づいて二次パケットデータインスタンスの作成を要求する。
【００１９】
別に実施形態では、１つまたは複数のパラメータが、（ｉ）時刻、（ｉｉ）アクセスネットワーク条件、（ｉｉｉ）アプリケーションタイプ、（ｉｖ）アクセスネットワークトラフィックのレベル、（ｖ）必要とされるサービスの質レベル、（ｖｉ）移動局操作パラメータ、及び（ｖｉｉ）アプリケーション機能操作パラメータの内の少なくとも１つを含む。
【００２０】
別の実施形態では、ポリシー決定機能は、２つまたは３つ以上の二次パケットデータサービスインスタンスを確立するためにアプリケーション機能からの要求に応える。
【００２１】
別の態様では、ネットワーク起動二次パケットデータサービスインスタンスを作成する方法は、移動局からのアプリケーションデータに対するコンテンツ要求を、アクセスネットワークを通してアプリケーション機能に送信することと、アプリケーション機能からポリシー機能に強化されたサービスの質に対する要求を送信することと、強化されたサービスの質に対する要求を評価することと、評価から１つまたは複数の操作属性を決定することとを含む。方法は、１つまたは複数のネットワーク構成要素を１つまたは複数の操作属性の機能として配置することによって移動局に対するアプリケーション機能のために二次パケットデータサービスインスタンスを作成することと、二次パケットデータサービスインスタンスを介してアプリケーション機能から移動局にアプリケーションデータを送信することとをさらに含む。
【００２２】
一実施形態では、１つまたは複数の操作属性が、強化されたサービスの質に対する要件を含む。別の実施形態では、アプリケーション機能はアプリケーションサーバを含む。さらに別の実施形態では、ポリシー機能はポリシーサーバを含む。
【００２３】
一実施形態は、無線アクセスネットワークを通して移動局とアクセスネットワークの間に通信を確立することをさらに含む。別の実施形態では、二次パケットデータサービスインスタンスは所定のサービスの質レベルで特徴付けられる。このサービスの質レベルは、データソースまたは二次パケットデータサービスインスタンスを介してデータを送信するアプリケーションの要件及び特殊な特性によって予定される。
【００２４】
別の実施形態は、アプリケーション機能からの要求を評価することと、移動局、アプリケーション機能及びアクセスネットワークに関する１つまたは複数のパラメータに基づいて二次パケットデータサービスインスタンスを作成することとを含む。１つまたは複数のパラメータは、とりわけ（ｉ）時刻、（ｉｉ）アクセスネットワーク条件、（ｉｉｉ）アプリケーションタイプ、（ｉｖ）アクセスネットワークトラフィックのレベル、（ｖ）必要とされるサービスの質のレベル、（ｖｉ）移動局操作パラメータ、（ｖｉｉ）アプリケーション機能操作パラメータの内の少なくとも１つを含んでよい。
【００２５】
別の実施形態は、１つまたは複数の操作属性の関数として、１つまたは複数のネットワーク構成要素を配置することによって移動局に対するアプリケーション関数の代わりに２つまたは３つ以上の二次パケットデータサービスインスタンスを作成することを含む。
【００２６】
別の態様は、ネットワーク起動二次パケットデータサービスインスタンスを作成するためのシステムである。システムは１つまたは複数のネットワーク構成要素を接続するためのアクセスネットワークと、無線接続を通してアクセスネットワークと通信する移動局とを含む。移動局は割り当てられたＩＰアドレスを有し、無線接続は、ゲートウェイＧＰＲＳ供給ノードとサービングＧＰＲＳサービングノードとを含む無線アクセスネットワーク及びブロードバンドリモートアクセスサーバを含む。システムは、移動局で動作しているアプリケーションにコンテンツを提供するためのアプリケーションサーバをさらに含む。
【００２７】
アプリケーションサーバはアクセスネットワークを通して通信できる。システムは、アプリケーションサーバと移動局間の通信のために使用されるネットワーク資源を管理するためのポリシーサーバも含む。ポリシーサーバは、所定のサービスの質レベルを有する１つまたは複数の二次パケットデータサービスインスタンスを確立するためにアプリケーション機能からの要求に応える。
【００２８】
別の態様は、ネットワーク起動二次パケットデータサービスインスタンスを作成する方法である。方法は、アプリケーションデータに対するコンテンツ要求を、アクセスネットワークを通して移動局からアプリケーションサーバに送信することを含む。アクセスネットワークは無線アクセスネットワークを含む。方法は、アプリケーションサーバからポリシーサーバに強化されたサービスの質に対する要求を送信することと、強化されたサービス品質に対する要求を評価することと、評価から１つまたは複数の操作属性を決定することとをさらに含む。１つまたは複数の属性は、強化されたサービスの質を有する１つまたは複数の二次パケットデータサービスインスタンスに対する少なくとも１つの要件を含む。
【００２９】
方法は、１つまたは複数の操作属性の関数として１つまたは複数のネットワーク構成要素を配置することによって、アプリケーションサーバの代わりに、移動局に１つまたは複数の二次パケットデータサービスインスタンスを作成することも含む。方法は、二次パケットデータサービスインスタンスの少なくとも１つを介してアプリケーションサーバから移動局にアプリケーションデータを送信することも含む。
【発明を実施するための最良の形態】
【００３０】
以下の項は、すでにネットワークに対する接続を確立した移動局に常駐するアプリケーションのためにネットワーク起動二次パケットデータサービスインスタンスを作成するためのシステムの実施形態の詳細な説明を提供する。この詳細な説明に続く項は、説明されている実施形態のいくつかの代替変形を説明する。
【００３１】
図２は、ネットワーク起動二次パケットデータサービスインスタンスを作成するためのシステム２００の一実施形態を示す。この実施形態では、移動局２０２は、強化されたＱｏＳの二次ＰＤＰコンテキスト（つまり、二次パケットデータサービスインスタンス）を必要とするアプリケーション２０４のホストとして働く。例えば、リアルタイムストリーミングビデオプレーヤは、ｅ−メールアプリケーションよりもよいＱｏＳを必要とする。
【００３２】
これは、ｅ−メールアプリケーションは、ｅ−メールメッセージを提示する前にすべてのパケットが到着するまで単に待機できるのに対し、大量のパケット待ち時間はビデオプレゼンテーションの中断を引き起こすためである。ビデオストリーム全体が到着するまで同様に待機することは、このようにすることによって、移動局２０２が通常ホストとして働くものを超えてメモリ資源を必要とするであろうために実際的ではない。
【００３３】
本実施形態では、移動局２０２は無線アクセスネットワーク（ＲＡＮ）２０８とブロードバンドリモートアクセスサーバ（Ｂ−ＲＡＳ）２１０を通してすでにアクセスネットワーク２０６に取り付けられているため、割り当てられたＩＰアドレスを有する。システム２００は、アプリケーション２０４によって実行できるコンテンツ（例えば、ビデオデータ）のホストとして働くアプリケーションサーバ２１２も含む。システム２００は、ネットワーク資源が多様なアプリケーション及び加入者全体でどのように活用される必要があるのかに関して細かい制御を行うポリシーサーバ２１４をさらに含む。
【００３４】
ネットワーク２０６内でさらに高いレベルの知能として機能するポリシーサーバ２１４は、ネットワークのユーザからの要求に応えて適切なＱｏＳ属性の二次パケットデータサービスインスタンスを作成するかどうか、及びいつ作成するのかを決定する。一般的には、ポリシーサーバ２１４は（アプリケーションサーバ２１２を通して）ユーザ要求を評価し，適切なネットワーク要素にこの評価に関連する制御情報を「プッシュする」。それらのネットワーク要素は、二次パケットデータサービスインスタンスの実際の作成、及びネットワーク要素を通って流れる適切な媒体のためにＱｏＳ属性を施行することに関与する。
【００３５】
３ＧＰＰによって定義されるネットワークアーキテクチャでは、このネットワーク要素は、ＲＡＮ２０８上でトラフィックフローを作成するために、サービングＧＰＲＳサービングノード（ＳＧＳＮ）と移動局と対話するゲートウェイＧＰＲＳ供給ノード（ＧＧＳＮ）である。この説明されている実施形態では、ＧＧＳＮとＳＧＳＮの両方ともＢ−ＲＡＳ２１０の中に存在する。
【００３６】
３ＧＰＰ２によって定義されるネットワークアーキテクチャでは、このネットワーク要素は、ＲＡＮ２０８上で二次パケットデータサービスインスタンスを作成するためにパケット制御機能（ＰＣＦ）またはアクセスネットワーク機能と対話するパケットデータ供給ノード（ＰＤＳＮ）／ホームエージェントである。
【００３７】
ポリシーサーバ２１４は、とりわけ時刻、アクセスネットワーク条件、アプリケーションタイプ、アクセスネットワークトラフィックのレベル、要求されているデータを伝達するために必要とされるサービスの質レベル、移動局に関連する操作パラメータ、及びアプリケーション機能に関連する操作パラメータ等の操作パラメータ及び属性に基づいてネットワーク資源の使用に関して細かい制御を可能にする。ポリシーサーバ２１４は、適切なネットワーク要素までＱｏＳポリシーをプッシュすることに加えて、受付制御機能を実行する。ポリシーサーバ２１４は、物理ネットワークトポロジに関連して認められてきたセッションを追跡し、サービスプロバイダ（例えば、アプリケーションサーバ２１２）が多様なネットワーク要素でどのくらい多くのトラフィックが認められるのかを制御できるようにする。
【００３８】
ポリシーサーバ２１４の動作は、その全体として参照することにより本書に組み込まれている、２００４年６月１４日に出願された「通信ネットワークのための動的サービス送達プラットホーム（Ｄｙｎａｍｉｃ  Ｓｅｒｖｉｃｅ  Ｄｅｌｉｖｅｒｙ  Ｐｌａｔｆｏｒｍ  ｆｏｒ  Ｃｏｍｍｕｎｉｃａｔｉｏｎ  Ｎｅｔｗｏｒｋｓ）」と題される米国特許出願、出願番号第１０／８６７，１５７号で詳細に説明されている。
【００３９】
説明されている実施形態の一般的な動作の概要について、再び図２を参照する。本説明の目的のため、移動局２０２は、現在、一次パケットデータサービスインスタンスを通してネットワーク２０４に接続されており、したがって確立されたＩＰアドレスをすでに有していると仮定される。システム２００は、アプリケーション２０４がアプリケーションサーバ２１２に要求２２０を送信すると、ネットワーク起動二次パケットデータサービスインスタンスを起動する。要求２２０はそれがアプリケーションサーバ２１２に達する前に、ＲＡＮ２０８、Ｂ−ＲＡＳ２１０、及びアクセスネットワーク２０６を通して伝搬する。アプリケーションサーバ２１２は、次に、強化されたＱｏＳコンテキストで移動局２２２にアプリケーションデータを送信するために、要求２０２でポリシーサーバ２１４に信号で伝達する。
【００４０】
ポリシーサーバ２１４はアプリケーションサーバ２１２からの要求を評価し、該当する場合は、アクセスネットワーク２０４の関連する構成要素に、移動局２０２とアプリケーションサーバ２１２の間で二次パケットデータサービスインスタンスを確立するように命令する信号伝達情報２２４をアクセスネットワーク２０４に提供する。
【００４１】
二次ＰＤＰコンテキスト（二次パケットデータサービスインスタンス）をＵＭＴＳネットワーク内で確立するための特殊なプロシージャは、３ＧＰＰ規格ＴＳ２３．０６０第３世代パートナーシッププロジェクト、技術仕様グループサービス及びシステムアスペクト（Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ）、ジェネラルパケットラジオサービス（ＧＰＲＳ）、サービス説明、第２段階に述べられている。プロシージャは図３にグラフを使って示されている。プロシージャ要素の頭字語及び詳細な説明は、３ＧＰＰ規格に記載されている。
【００４２】
図３は、クライアントがネットワークからＱｏＳを「プルする」ことを伴う現在の技術を説明している。移動局２０２上のアプリケーションが、それがネットワーク上のリソース（例えば、アプリケーションサーバ）からアプリケーションデータを受信することを希望すると決定すると、移動局を介したアプリケーションが、二次パケットデータサービスインスタンスを確立するためにＰＤＰコンテキスト要求３０２をＢ−ＲＡＳ装置２１０内のＳＧＳＮに送信する。ＳＧＳＮはこの要求３０４を、任意で二次パケットデータサービスインスタンスの確立を許可し、完了してよいＧＧＳＮに中継する。
【００４３】
ネットワークが二次パケットデータサービスインスタンスをサポートすることに合意する場合、ＧＧＳＮはネットワークからの応答３０６をＳＧＳＮに渡し、ＳＧＳＮはＲＡＮ及び移動局２０２に、二次コンテキストを確立するために必要な信号伝達３０８を実行するように指示する。ネットワーク及びＢ−ＲＡＳは、二次ＰＤＰコンテキストを完了するためにそれぞれ更新要求と応答３１０、３１２を交換し、Ｂ−ＲＡＳは、二次パケットデータサービスインスタンスが確立されたことをＲＡＮと移動局２０２に対して肯定応答３１４する。ＳＧＳＮは、次に、適切なデータパケットをネットワークから二次パケットデータサービスインスタンス上に送る。
【００４４】
説明されている実施形態は、「プッシュモード」を規格に及び図３に説明されているプロシージャに追加する。この変更を実現するための技術的な要件は最小であるが、この「プッシュモデル」に対する多数の利点がある。
【００４５】
図４にグラフで示されている「プッシュモデル」では、移動局２０２上のアプリケーション２０４が、アプリケーションデータ（つまりアプリケーションコンテンツ）を要求するために、ＲＡＮ２０８、Ｂ−ＲＡＳ２１０及びアクセスネットワークを通してＱｏＳを認識するアプリケーション機能（アプリケーションサーバ２１２等のＡＦ）と対話する。ＡＦ２１２はアプリケーション２０４の要件に基づき特別なＱｏＳ特性に対する要求４０２を提出する。
【００４６】
ＡＦ２１２からの要求４０２は、多くの加入者、ネットワーク及びアプリケーション基準に基づき要求を評価するポリシーサーバ２１４に送信される。ネットワーク事業者のポリシー、ネットワークの能力及び移動局に基づき、一実施形態では、ポリシーサーバ２１４が、要求されたサービスの質及び操作属性のある二次フローを引き起こすために、４０２ａをＧＧＳＮとＳＧＳＮ（つまりＢ−ＲＡＳ）に信号伝達する。
【００４７】
これらの操作属性は、二次データサービスインスタンスを活用するアプリケーションまたはデータソースによって必要とされる二次パケットデータサービスインスタンスの特性を定義する。この信号伝達４０２ａは、図３に示されている移動局からの要求３０２に類似している。図４に示されている以下の５つの通信（つまり、４０４、４０６、４０８、４１０及び４１２）は、それぞれネットワーク起動に必要とされるわずかな修正のある、図３からの通信２０４、２０６、２０８、２１０、及び２１２と同じである。
【００４８】
これらの通信は、アプリケーション２０４とＡＦの間でアプリケーション２０４のために二次パケットデータサービスインスタンスを確立するために機能する。最終的な通信４１４は、図４において肯定応答４１４がポリシーサーバ２１４までＧＧＳＮを通過する点を除き、図３の肯定応答３１４に類似している。したがって、ポリシーサーバ２１４は、移動局２０２よりむしろ二次パケットデータサービスが確立された旨の肯定応答を受信する。
【００４９】
３ＧＰＰと３ＧＰＰ２の両方とも、現在では、二次パケットデータサービスインスタンス（プルモデル）を確立するための類似した機構を利用する。説明されている実施形態は、他のネットワークだけではなく３ＧＰＰと３ＧＰＰ２の両方をベースにしたネットワークにも適用する。３ＧＰＰと３ＧＰＰ２の間で使用されるインプリメンテーション及びプロトコルの詳細は異なる可能性があるが、「プッシュ」モデルの基本的な概念は両方のアーキテクチャでは新規である。
【００５０】
「プッシュ」モデルのおもな優位点は、それによりネットワーク事業者が、アプリケーションセッション起動時に二次フローに対する要求を起動できるクライアント上で実行中の特殊化したソフトウェアに依存する必要なく、（高級なエンドユーザ経験とアプリケーション性能保証を確実にする）サーバの品質のある新しいアプリケーションを配備できるという点である。これにより、二次パケットデータサービスインスタンスを要求するために特別な信号伝達プロトコルをサポートしない、一般的な端点に、任意のアプリケーションをＱｏＳをもって送達することができる。加えて、「ネットワーク起動」モデルはネットワークに強化されたセキュリティを追加し、差別化されたＱｏＳ使用可能サービスの展開を助長することによってネットワーク事業者に収益増強の機会も与える。本書に説明されているプッシュモデルは、新しい二次パケットデータサービスインスタンスを作成するだけではなく、既存の二次パケットデータサービスインスタンスを更新するために使用されてもよい。
【００５１】
本発明は、その精神または本質的な特性から逸脱することなく他の特殊な形式で実現されてよい。したがって、本実施形態は、点で（ｉｎ  ｒｅｓｐｅｃｔｓ）制限的ではなく例示的と見なされるべきであり、本発明の範囲は前記説明によってよりむしろ添付請求項によって示され、したがって請求項の意味及び同等性の範囲内になるすべての変更はその中に包含されることを目的とする。
【図面の簡単な説明】
【００５２】
【図１】３つのパケットデータサービスインスタンスの例を描く。
【図２】ネットワーク起動二次パケットデータサービスインスタンスを作成するためのシステムの一実施形態を示す。
【図３】ＵＭＴＳネットワーク内で二次ＰＤＰコンテキスト（二次パケットデータサービスインスタンス）を確立するための特殊なプロシージャを描く。
【図４】本発明による図３に示されているプロシージャのプッシュモデルを描く。
【図１】
2009505561.tif 000003
【図２】
2009505561.tif 000004
【図３】
2009505561.tif 000005
【図４】
2009505561.tif 000006
【国際調査報告】
2009505561.tif 000007